(57)【要約】【課題】  最上段の棚板上の商品を転倒させたりすることになく、陳列棚の前方と上方を連続して目隠ししうるようにし、顧客への商品の販売終了を確実に視認させうるようにする。【解決手段】  最下段の棚板３の前端部下方に、巻込み式のロールスクリーン４を設け、そのスクリーン４ａの引出し端部に、左右方向を向き、スクリーン４ａの両側端よりもやや外方において左右両端部が内向きに折曲されたガイドロッド１１を挟入するとともに、左右の支柱２の上端部に、前方を向くスクリーン支持アーム１２を設け、両スクリーン支持アーム１２における棚板３、９よりも前方に位置する前端部に設けた掛止杆１５により、ガイドロッド１１の両側端部を掛止することにより、棚板３、９の前方を覆うように引き上げたスクリーン４ａを、ガイドロッド１１を支点としてさらに後方に引っ張り、最上段の棚板９の上方を覆いうるようにする。【選択図】  図１
2006212304.tif 000002
【特許請求の範囲】
【請求項１】
左右の支柱に前方を向く複数段の棚板を取付けてなる商品陳列棚において、前記最下段の棚板の前端部下方に、巻込み式のロールスクリーンを設けるとともに、前記左右の支柱の上端部に、前方を向くスクリーン支持アームを設け、両スクリーン支持アームの前端部間に左右方向を向くガイドロッドの両側端部を掛止することにより、上下の棚板の前方を覆うように引き上げたスクリーンを、ガイドロッドの上面を支点としてさらに後方に引っ張り、最上段の棚板の上方を覆いうるようにしたことを特徴とする商品陳列棚のカバー装置。
【請求項２】
ガイドロッドの左右両端部を内向きに折曲し、その両折曲部を、ロールスクリーンにおけるスクリーンの引出し端部に、その長さ方向に摺動可能に挟入することにより、ガイドロッドをスクリーンと共に引き上げて、スクリーン支持アームの前端部間に掛止しうるようにした請求項１記載の商品陳列棚のカバー装置。
【請求項３】
左右のスクリーン支持アームの後端部に、ガイドロッドの不使用時にその両側端部を着脱可能に係止して保持しうる保持手段を設けた請求項１または２記載の商品陳列棚のカバー装置。
【請求項４】
スクリーン支持アームの前端に、側面視下向Ｕ字状の掛止杆の後部の下端を固着し、この掛止杆に、ガイドロッドの両側端部の折曲部を嵌合して掛止するようにした請求項１〜３のいずれかに記載の商品陳列棚のカバー装置。
【請求項５】
左右のスクリーン支持アームの後端を、支柱に、内向きに水平回動しうるように取付けてなる請求項１〜４のいずれかに記載の商品陳列棚のカバー装置。
【請求項６】
支柱の前面に、棚板取付用の係合孔が上下方向に多数列設されたものにおいて、スクリーン支持アームの後端に上下方向を向くブラケットを取付け、このブラケットの後端に突設した複数のフックを前記複数の係合孔に選択的に係止することにより、スクリーン支持アームを支柱の前面に高さ調節可能に取付けた請求項１〜５のいずれかに記載の商品陳列棚のカバー装置。
【請求項７】
ブラケットに、そのフックを挟む左右両側において後端が支柱の前面にそれぞれ当接する揺れ止め金具と止めねじとを設けた請求項６記載の商品陳列棚のカバー装置。
【請求項８】
ロールスクリーンにおけるスクリーンの引出し端の中央部又は両側端部に、リング状の取っ手を設け、この取っ手を、左右の支柱の上端同士を連結する横連結杆に設けた係止部材もしくは左右のスクリーン支持アームの後端に係止しうるようにした請求項１〜７のいずれかに記載の商品陳列棚のカバー装置。
【発明の詳細な説明】
【技術分野】
【０００１】
本発明は、店舗等において商品陳列棚に載置した商品を目隠しする際に使用されるカバー装置に関する。
【背景技術】
【０００２】
例えば薬剤や化粧品等、薬剤師又は店員による商品説明が必要な商品の場合には、その販売が終了して薬剤師や店員が不在となる際に、商品陳列棚に商品を目隠しするカバーを掛け、顧客に商品の販売が終了したことを視認させうるようにすることがある。
この際に用いられる従来のカバー装置としては、例えば図９に示すようなものが知られている。
【０００３】
この従来のカバー装置は、商品陳列棚(１)における左右に離間する支柱(２)の下端部のベース棚板(３)の前端下部に設けられた公知の巻き込み式のロールスクリーン(４)(４)と、各支柱(２)の上端の前面に取付けられた、ベース棚板(３)の前後寸法とほぼ等長をなす前方を向くスクリーン掛止杆(５)と、これらの前端に固着された正面視上向コ字状の掛止片(６)とからなっている。
【０００４】
ロールスクリーン(４)におけるスクリーン(4a)の引出し端に取付けられた左右方向を向く引出しロッド(７)の両側端部には、方形リング状の取っ手(８)(８)が取付けられている。
【０００５】
図示のように、ロールスクリーン(４)の引出しロッド(７)を上方に引出し、その両側端の取っ手(８)を、左右のスクリーン掛止杆(５)の先端の掛止片(６)に引っ掛けることにより、ベース棚板(３)及びその上方の複数段の棚板(９)の前方が覆われ、それらに陳列された商品(10)が前方より目隠しされる。
【発明の開示】
【発明が解決しようとする課題】
【０００６】
上述した従来の商品陳列棚のカバー装置においては、ロールスクリーンのスクリーンにより、商品陳列棚の前面のみしか目隠しされないため、商品陳列棚が低い場合には、最上段の棚板に載置した商品が見えてしまい、顧客に対し販売終了を視認させる効果が小さいという問題がある。
【０００７】
これを防止するために、単にロールスクリーンの上端部を後方に折り曲げ、支柱の上端等に掛止しようとすると、最上段の棚板の商品にスクリーンが当たり、商品を転倒させたり、落下させたりする恐れがある。
【０００８】
本発明は、上記問題点に鑑みてなされたもので、最上段の棚板上の商品を転倒させたりすることなく、陳列棚の前方と上方を連続して目隠ししうるようにし、顧客への商品の販売終了を確実に視認させうるようにした、商品陳列棚のカバー装置を提供することを目的としている。
【課題を解決するための手段】
【０００９】
本発明によると、上記課題は、次のようにして解決される。
(１)  左右の支柱に前方を向く複数段の棚板を取付けてなる商品陳列棚において、前記最下段の棚板の前端部下方に、巻込み式のロールスクリーンを設けるとともに、前記左右の支柱の上端部に、前方を向くスクリーン支持アームを設け、両スクリーン支持アームの前端部間に左右方向を向くガイドロッドの両側端部を掛止することにより、上下の棚板の前方を覆うように引き上げたスクリーンを、ガイドロッドの上面を支点としてさらに後方に引っ張り、最上段の棚板の上方を覆いうるようにする。
【００１０】
(２)上記(１)項において、ガイドロッドの左右両端部を内向きに折曲し、その両折曲部を、ロールスクリーンにおけるスクリーンの引出し端部に、その長さ方向に摺動可能に挟入することにより、ガイドロッドをスクリーンと共に引き上げて、スクリーン支持アームの前端部間に係止しうるようにする。
【００１１】
(３)上記(１)または(２)項において左右のスクリーン支持アームの後端部に、ガイドロッドの不使用時にその両側端部を着脱可能に係止して保持しうる保持手段を設ける。
【００１２】
(４)  上記(１)〜(３)項のいずれかにおいて、スクリーン支持アームの前端に、側面視下向Ｕ字状の掛止杆の後部の下端を固着し、この掛止杆に、ガイドロッドの両側端部の折曲部を嵌合して掛止するようにする。
【００１３】
(５)  上記(１)〜(４)項のいずれかにおいて、左右のスクリーン支持アームの後端を、支柱に、内向きに水平回動しうるように取付ける。
【００１４】
(６)  上記(１)〜(５)項のいずれかにおいて、支柱の前面に、棚板取付用の係合孔が上下方向に多数列設されたものにおいて、スクリーン支持アームの後端に上下方向を向くブラケットを取付け、このブラケットの後端に突設した複数のフックを前記複数の係合孔に選択的に係止することにより、スクリーン支持アームを支柱の前面に高さ調節可能に取付ける。
【００１５】
(７)  上記(６)項において、ブラケットに、そのフックを挟む左右両側において後端が支柱の前面にそれぞれ当接する揺れ止め金具と止めねじとを設ける。
【００１６】
(８)  上記(１)〜(７)項のいずれかにおいて、ロールスクリーンにおけるスクリーンの引出し端の中央部又は両側端部に、リング状の取っ手を設け、この取っ手を、左右の支柱の上端同士を連結する横連結杆に設けた係止部材もしくは左右のスクリーン支持アームの後端に係止しうるようにする。
【発明の効果】
【００１７】
請求項１記載の発明によれば、左右方向を向くガイドロッドの両側端部を、左右のスクリーン支持アームの前端部間に掛止することにより、棚板の前方を覆うように引き上げたスクリーンを、上端において後方に連続して折曲することが可能となり、最上段の棚板上の商品を転倒させたり、落下させたりすることなく、その上方を覆うことができる。
その結果、各段の棚板上の商品が、スクリーンにより前方と上方から連続して目隠しされるため、顧客への商品の販売終了を確実に視認させることができる。
【００１８】
請求項２記載の発明によれば、ガイドロッドを、既製のロールスクリーンに容易に取付けて使用しうるとともに、その不使用時には、巻込まれたスクリーンと共に最下段の棚板の前端部下方の目立たない位置に保管しておけるので、ガイドロッドが商品販売の妨げとなったり、紛失したりすることはない。
【００１９】
請求項３記載の発明によれば、ガイドロッドの不使用時に、これを、左右のスクリーン支持アームの後端部に保管しておけるので、上記と同様、ガイドロッドが商品販売の妨げとなったり、紛失したりすることはない。
【００２０】
請求項４記載の発明によれば、ガイドロッドの両側端の折曲部を、掛止杆に挿脱自在として容易に嵌合しうるとともに、ガイドロッドを確実に掛止して保持することができる。
【００２１】
請求項５記載の発明によれば、通常の商品販売時に、両スクリーン支持アームを互いに内向きに水平回動させ、左右方向に向けておけるので、商品の販売に支障を来したり、見栄えが悪くなるなどの恐れはない。
【００２２】
請求項６記載の発明によれば、スクリーン支持アームを、ブラケットを介して支柱前面の棚板取付用の係合孔を利用して取付けているため、支柱への取付けや取外しが容易となる。
また、上下の係合孔を選択することにより、スクリーン支持アームの高さを変えうるので、最上段の棚板に載置される商品の上下寸法に応じて、その上方を覆うスクリーンの高さも変えることができる。
【００２３】
請求項７記載の発明によれば、スクリーン支持アームのブラケットが左右方向にぐら付くのが防止される。
【００２４】
請求項８記載の発明によれば、棚板の前方及び上方を覆うように引き出したスクリーンの先端を、取っ手を介して簡単に係止することができる。
【発明を実施するための最良の形態】
【００２５】
以下、本発明の実施形態を、図面に基づいて説明する。
なお、図９に示す従来例と同様の部材については、それと同じ符号を付し、詳細な説明を省略する。
【００２６】
図１は、本発明の第１の実施形態を、従来と同様の商品陳列棚(１)に適用した例の斜視図で、カバー装置は、従来と同様、ベース棚板(３)の前端下部に設けられたロールスクリーン(４)(４)と、これらのスクリーン(4a)に取付けられた左右方向を向くガイドロッド(11)と、各支柱(２)の前面に前方を向くように取付けられた３本のスクリーン支持アーム(12)と、左右の支柱(２)の上端の対向面同士を連結している横連結杆(13)の中央部に取付けられた係止部材(14)とを備えている。
【００２７】
なお、上記スクリーン支持アーム(12)は、左右の各ロールスクリーン(４)に対し、１対ずつ設けられるものであるが、中央の支持アーム(12)を共用可能としているため、３本設けるのみでよい。
【００２８】
ガイドロッド(11)は、例えば１本の鋼等の小径丸棒材の両端部を、２点鎖線で示すように、スクリーン(4a)の幅よりも若干大となる外方において内向Ｕ字状に、かつ互いに所要寸法離間して重なるように折り曲げ、その折り曲げた部分を、互いの対向面同士が所要寸法離間する左右１対の挟持部(11a)(11a)とし、両挟持部(11a)がスクリーン(4a)の裏面（使用状態では表面）に位置するようにして、該スクリーン(4a)に、左右及び長さ方向に摺動可能に挟み入れたものである。
【００２９】
各スクリーン支持アーム(12)の前後長は、ベース棚板(３)の前後寸法とほぼ等長をなし、その先端部には、側面視下向Ｕ字状の掛止杆(15)が、その後端下面を支持アーム(12)の前端の上面に溶接により固着することにより、前方に突出するようにして取付けられている（図２参照）。
【００３０】
この掛止杆(15)には、ガイドロッド(11)におけるスクリーン(4a)の側方に突出している側端のＵ字状折曲部が嵌合されるようになっている。
【００３１】
スクリーン支持アーム(12)の後端は、支柱(２)の前面に、ブラケット(16)を介して取付けられている。
【００３２】
図２〜図４に拡大して示すように、ブラケット(16)（左右対称につき、左端のもののみ図示する）は、平面視内向Ｌ字状のアングル材よりなり、その後向片(16a)の下部の後端には、下向鉤状の上下３個のフック(17)が等間隔おきに突設されている。
【００３３】
このフック(17)を、支柱(２)の前面に列設された棚板(９)取付用の左右２列のスリット状の係合孔(18)における一方の列の上端の３個に係合することにより、ブラケット(16)は、支柱(２)の上端より所要寸法上方に突出するようにして取付けられている。
【００３４】
ブラケット(16)における中央のフック(17)付近の内向片(16b)の前面には、平面視内向Ｌ字状の揺れ止め金具(19)が、その後向片(19a)の後端が、ブラケット(16)の後向片(16a)の外側方において支柱(２)の前面と当接するように固着されている。
【００３５】
ブラケット(16)の内向片(16b)と、揺れ止め金具(19)の内向片(19b)との基端部付近には、めねじ孔(20)(20)が、互いに整合するように形成され、これらのめねじ孔(20)には、前方より、手回し可能な合成樹脂製の止めねじ(21)が螺合されている。
【００３６】
この止めねじ(21)の後端を、ブラケット(16)の後向片(16a)の内側方において支柱(２)の前面に圧接させることにより、上記揺れ止め金具(19)の後向片(19a)との協働作用により、ブラケット(16)が左右方向にぐら付くのが防止されるとともに、フック(17)の係合孔(18)よりの抜け止めも図れる。
【００３７】
スクリーン支持アーム(12)の後端部下面には、取付板(22)の上端が、その後端よりスクリーン支持アーム(12)の後端部が若干後方に突出するようにして、溶接により固着されている。この取付板(22)の内側面と、ブラケット(16)の内向片(16b)の前面とには、図４に示すように、ヒンジ(23)の回動片(23a)(23b)が、それらの上下２個の段付孔(24)に挿入した止めねじ(25)を、取付板(22)の外側面と内向片(16b)の後面とに溶接された上下２個ずつのナット(26)に向かって螺合することにより、固定されている。
【００３８】
上記ヒンジ(23)の両回動片(23a)(23b)は、内向きにほぼ９０°の範囲だけ上下方向を向く枢軸(27)を中心として相対的に回動しうるようになっている。これにより、スクリーン支持アーム(12)は、図４の２点鎖線で示すように、前方を向く使用位置から、左右方向を向く不使用位置との間を、内向きのみに水平回動させることができる。
なお、図示は省略するが、中央及び右端のスクリーン支持アーム(12)も、左側方に向かって水平回動させうるようになっている。
【００３９】
上記係止部材(14)は、図６に示すように、上下両端を互いに対向するように前後方向に折曲してなる前後１対の係止片(28)(28)と、両係止片(28)同士を、横連結杆(13)を挟持した状態で連結する止めねじ(29)とナット(30)とからなっている。
ナット(30)は、後部の係止片(28)の上方寄りの前面に溶接されている。
【００４０】
図示するように、両係止片(28)の下部により横連結杆(13)の前後面を挟持して、止めねじ(29)をナット(30)に螺合すると、両係止片(28)の上端部間には隙間が形成され、この隙間より嵌挿したロールスクリーン(４)の中央の方形リング状をなす取っ手(８)を、前部の係止片(28)に係止することが可能となる。
なお、(31)は、商品陳列棚(１)の後面板である。
【００４１】
上記実施形態のカバー装置において、図１及び図５に示すように、ロールスクリーン(４)のスクリーン(4a)を、ガイドロッド(11)と共に引き上げ、まずガイドロッド(11)の両側の折曲端部を、左右に対向するスクリーン支持アーム(12)の掛止杆(15)に、左右の挟持部(11a)がスクリーン(4a)の上面側に位置するように嵌合して掛止し、後方と下方への移動を規制する。
【００４２】
ついで、さらにスクリーン(4a)の上端を後方にほぼ水平に引っ張り、引出しロッド(７)の中央部に取付けた取っ手(８)を、図６に示すように、係止部材(14)における前部の係止片(28)に掛止する。
【００４３】
これにより、スクリーン(4a)は、側面視倒立Ｌ字状に折曲され、商品陳列棚(１)の前面と上面とが覆われることにより、棚板(３)(９)上の商品(10)が前方及び上方から目隠しされる。
【００４４】
以上説明したように、上記実施形態のカバー装置においては、ロールスクリーン(４)のスクリーン(4a)に、両側端部が内向Ｕ字状に折曲されたガイドロッド(11)を嵌合し、このガイドロッド(11)の両側の折曲端部を、左右の支柱(２)の上端に取付けた前方を向く１対のスクリーン支持アーム(12)(12)における前端の掛止杆(15)に掛止することにより、スクリーン(4a)を、ガイドロッド(11)を支点として後方にほぼ水平に連続して折曲することが可能となり、最上段の棚板(９)の商品(10)を転倒させたり、落下させたりすることなく、その上方を覆うことができる。
【００４５】
各棚板(３)(９)上の商品(10)が、スクリーン(4a)により、前方と上方から連続して目隠しされることにより、前方のみが覆われた従来例のカバー装置に比して、顧客への商品の販売終了を視認させうる効果が高まる。
【００４６】
各スクリーン支持アーム(12)は、内向にほぼ９０°回動可能となっているので、通常の商品販売時にそれらが邪魔になることはない。
【００４７】
また、スクリーン支持アーム(12)を支柱(２)に取付けるブラケット(16)は、支柱(２)の前面に列設された、棚板(９)取付用の係合孔(18)を利用して取付けているため、スクリーン支持アーム(12)の支柱(２)への取付けや取外しが容易であり、かつ係合孔(18)を選択することにより、スクリーン支持アーム(12)の高さも変えることができ、従って最上段の棚板(９)に載置される商品(10)の上下寸法に応じて、その上方を覆うスクリーン(4a)の高さも変えることができる。
【００４８】
図７は、本発明の第２の実施形態を適用した商品陳列棚(１)を示す。
この実施形態では、ロールスクリーン(４)の引出しロッド(７)の両側端部に１対の取っ手(８)(８)を取付け、この両取っ手(８)を、左右のスクリーン支持アーム(12)における取付板(22)よりも後方に突出する係止端部(12a)に係止するようにしてある（図２の２点鎖線示参照）。
【００４９】
従って、上記第１の実施形態のような係止部材(14)は不要となる。
第２の実施形態においても、上記第１の実施形態と同様の作用効果を奏することができる。
【００５０】
図８は、本発明の第３の実施形態を適用した商品陳列棚(１)を示す。
この実施形態では、ガイドロッド(11)をロールスクリーン(４)とは別体として、その左右両端に折曲して形成されたリング状の掛止部(32)(32)を、左右のスクリーン支持アーム(12)の掛止杆(15)に嵌合することにより、ガイドロッド(11)を単独で両スクリーン支持アーム(12)の前端部間に掛止しうるようにしたものである。
【００５１】
また、ガイドロッド(11)の不使用時には、２点鎖線で示すように、両スクリーン支持アーム(12)の後端部における回動中心位置に立設した保持手段、すなわち保持ロッド(33)(33)に両端の掛止部(32)を着脱可能に嵌合して保管しておけるようにしてある。
【００５２】
なお、この実施形態において、不使用時にガイドロッド(11)を保持する手段は、例えばガイドロッド(11)の両端部を前後より着脱可能に挟持して保持する１対の挟持片とすることもできる。
この第３の実施形態においても、上記第１の実施形態と同様の作用効果を奏することができる。
【００５３】
上記実施形態では、スクリーン支持アーム(12)の前端部に別体の掛止杆(15)を固着しているが、スクリーン支持アーム(12)の前端部を掛止杆(15)の形状に折曲してもよく、また、その形状は、ガイドロッド(11)の両端部が掛止可能であれば、上記実施形態に限定されるものではない。
【図面の簡単な説明】
【００５４】
【図１】本発明の第１の実施形態を適用した商品陳列棚の斜視図である。
【図２】同じく、支柱へのスクリーン支持アーム取付部の一部切欠拡大側面図である。
【図３】同じく、図２のIII−III線横断平面図である。
【図４】同じく、支柱へのスクリーン支持アーム取付部の平面図である。
【図５】同じく、図１のＶ−Ｖ線拡大縦断側面図である。
【図６】同じく、ＶI−ＶI線拡大縦断側面図である。
【図７】本発明の第２の実施形態を適用した商品陳列棚の斜視図である。
【図８】本発明の第３の実施形態を適用した商品陳列棚の斜視図である。
【図９】従来のカバー装置を備える商品陳列棚の斜視図である。
【符号の説明】
【００５５】
(１)商品陳列棚
(２)支柱
(３)ベース棚板
(４)ロールスクリーン
(4a)スクリーン
(５)スクリーン掛止杆
(６)掛止片
(７)引出しロッド
(８)取っ手
(９)棚板
(10)商品
(11)ガイドロッド
(11a)挟持部
(12)スクリーン支持アーム
(12a)係止端部
(13)横連結杆
(14)係止部材
(15)掛止杆
(16)ブラケット
(16a)後向片
(16b)内向片
(17)フック
(18)係合孔
(19)揺れ止め金具
(19a)後向片
(19b)内向片
(20)めねじ孔
(21)止めねじ
(22)取付板
(23)ヒンジ
(23a)(23b)回動片
(24)段付孔
(25)止めねじ
(26)ナット
(27)枢軸
(28)係止片
(29)止めねじ
(30)ナット
(31)後面板
(32)掛止部
(33)保持ロッド（保持手段）
【図１】
2006212304.tif 000003
【図２】
2006212304.tif 000004
【図３】
2006212304.tif 000005
【図４】
2006212304.tif 000006
【図５】
2006212304.tif 000007
【図６】
2006212304.tif 000008
【図７】
2006212304.tif 000009
【図８】
2006212304.tif 000010
【図９】
2006212304.tif 000011